(57)【特許請求の範囲】
【請求項１】
袋体を開口状態に保持してこの袋体に土砂や水や粒体などの詰入体を注入する袋保持装置において、前記袋体を収納部に保持する袋保持体から成り、この袋保持体は、前記収納部を形成する周壁部の上部に前記袋体の開口縁を支持して開口状態に保持する開口縁支持部を設けると共に下部に接地部を設け、この袋保持体には前記収納部に保持した前記袋体に詰入体を注入して大きくなったこの袋体を保持する前記周壁部の一部若しくは全部が前記接地部に対してこの袋体と離反する退避方向に可動自在な可動部を設けると共にこの可動部は、前記接地部に枢着してこの接地部との枢着箇所を支点に接地面に対して外側へ退避回動自在に立設した構成として、前記収納部の上部開口部から前記袋体を引き上げて取り出す際にこの袋体の上動によるこの袋体と前記可動部との当接押圧によって、この可動部が前記接地部との枢着箇所を支点に前記収納部から離反する外側方向に退避回動するように構成することで、この袋体を引き上げる際に前記周壁部と袋体との接触により前記袋保持体が追従して一緒に引き上がらずに前記可動部の前記袋体と離反する退避可動によってこの袋保持体の収納部から前記袋体を引き上げて取り出せるように構成したことを特徴とする袋保持装置。
【請求項２】
前記可動部は、前記袋体の上動によるこの袋体と前記可動部との当接押圧によって、この可動部が前記接地部との枢着箇所を支点に前記収納部から離反する外側方向に退避回動した後、この袋体の引き上げ取り出しによってこの袋体と可動部との当接押圧が解除されることによって、この可動部が前記収納部に近接する内側方向に戻り復帰回動するように構成したことを特徴とする請求項１記載の袋保持装置。
【請求項３】
前記可動部は、前記袋体とこの可動部との当接押圧が解除されることによって、この可動部の自重により前記収納部に近接する内側方向に戻り復帰回動するようにこの可動部の重心位置を設定したことを特徴とする請求項２記載の袋保持装置。
【請求項４】
前記袋保持体の収納部が下方程幅広な形状となるように、この収納部を構成する前記周壁部の収納部側内面の形状を設定したことを特徴とする請求項１〜３のいずれか１項に記載の袋保持装置。
【請求項５】
前記袋保持体の周壁部の上縁部を平面視略環状に構成し、前記保持部に配設した前記袋体の開口縁を外側に折り返してこの袋体の開口縁をこの周壁部の上縁部に折り返し係止し得るように構成して、この周壁部の上縁部をこの袋体の開口縁を支持して開口状態に保持するための前記開口縁支持部として構成したことを特徴とする請求項１〜４のいずれか１項に記載の袋保持装置。
【発明の詳細な説明】
【技術分野】
【０００１】
本発明は、例えば土嚢用の袋体を開口状態に保持して、この袋体に例えば土砂などの詰入体を注入する作業を行う場合に使用する袋保持装置に関するものである。
【背景技術】
【０００２】
例えば麻製の袋体に、土砂などの詰入体を注入して構成した土嚢が、従来から例えば建築素材として様々な用途に広く使用されている。また、この土嚢は、堤防の越水や決壊を阻止すべく堤防の上に多段に積み上げたり、洪水時に地盤の低い地域や地下施設への水の進入を阻止すべく所定箇所に積み上げて簡易堤防とするなど、水害対策としても一般に使用されている。
【０００３】
ところで、この土嚢は、例えば作業者が二人掛かりで袋体の開口縁を開口状態に手で保持し、ショベルカーなどで勢い良くこの袋体に土砂を注入することで作製されていた。
【０００４】
しかし、この土嚢作製作業は、袋体を二人掛かりで保持しなければならないため、面倒な手間と人手を要するうえに、袋体を保持する作業者の手などが、ショベルカーから勢い良く注がれる前記土砂に巻き込まれる危険性を有している。
【０００５】
そこで、従来、図８〜図１０に図示したように、袋体１を開口状態に保持してこの開口保持状態の袋体１に土砂などの詰入体ｓを注入可能とする袋保持装置が提案されている。
【０００６】
これは、図８に図示したように、周壁部３を備えこの周壁部３内に袋体１を収納配設可能な収納部２を備えた袋保持体Ａと、この袋保持体Ａの収納部２に上方から挿し込み可能な係止部材ｋとから成るもので、袋体１を袋保持体Ａの収納部２に配設してこの袋体１の上縁部１ａを周壁部３の上縁部に折り返し係止し、係止部材ｋをこの収納部２に上方から挿し込むことでこの袋体１の開口縁１ａを周壁部３の上部に支持して開口状態に保持する構成である。
【０００７】
この袋保持装置によれば、袋体１を一々作業者が二人掛かりで手で保持する必要がなく、それだけ手間と人手を削減できるうえに、作業者がショベルカーから注入される土砂に巻き込まれる危険性も無い。
【０００８】
しかしながら、この従来の袋保持装置は、土砂が注入されて大きくなった（膨らんだ）袋体１が、袋保持体Ａの周壁部３と圧接するため、この袋体１を簡単にはこの袋保持体Ａの収納部２から引き上げて取り出すことができない。即ち、袋体１と周壁部３とが圧接していて離れにくいため、袋体１を上方に持ち上げようとすると袋保持体Ａ自体も追従して一緒に上方に持ち上がってしまう。
【０００９】
そのため、袋体１を袋保持体Ａから取り出す際には、先ず、図９に図示したように係止部材ｋを外して袋体１の上縁部１ａを紐などで締結するが、その後袋体１を引き上げるのではなく、図１０に図示したように袋保持体Ａを引き上げて袋体１からこの袋保持体Ａを取り外さなければならない。
【００１０】
即ち、従来の袋保持装置は、土砂を注入し終えた袋体１を、直接クレーンで所定の位置に適宜移動させることができず、一度クレーンを袋保持体Ａに繋いで先ずクレーンで袋体１から袋保持体Ａを取り外し、その後、このクレーンを袋保持体Ａから袋体１に繋げ代えてこの袋体１を適宜移動させなければならないため、極めて作業性が悪く、土嚢を大量に生産したい場合において生産性を著しく損ねてしまうという問題を有していた。
【００１１】
この問題は、例えば、袋保持体Ａに保持した袋体１に注入する土砂の量を加減して（減らして）この袋体１の膨れを抑止することで解決できるとも考えられるが、この方法を採用した場合には、たとえ袋体１を袋保持体Ａから良好に取り出すことができたとしても、この取り出した袋体１に加減した分の土砂を追加注入する作業を別途行わなければならず、二度手間となって作業性が悪くなるため有効な解決方法とは言えない。
【発明の開示】
【発明が解決しようとする課題】
【００１２】
本発明は、上記した従来の袋保持装置の問題点に鑑みて完成したもので、従来装置と同様に袋保持体に袋体を開口状態に保持して作業性良く且つ安全に例えば土砂などの詰入体を注入でき、しかも、この詰入体を注入し終えた袋体を、単に袋保持体の収納部から引き上げるだけで簡単且つスムーズに取り出すことができ、これにより例えば、土嚢用の袋体を袋保持体に開口状態に保持して土砂などの詰入体を注入し、注入した袋体を袋保持体から取り出して適宜な位置に移動させ、次の袋体をこの袋保持体に保持するといった作業を極めて効率的に行え、この種の土嚢作製に極めて適した袋保持装置を提供するものである。
【課題を解決するための手段】
【００１３】
添付図面を参照して本発明の要旨を説明する。
【００１４】
袋体１を開口状態に保持してこの袋体１に土砂や水や粒体などの詰入体ｓを注入する袋保持装置において、前記袋体１を収納部２に保持する袋保持体Ａから成り、この袋保持体Ａは、前記収納部２を形成する周壁部３の上部に前記袋体１の開口縁１ａを支持して開口状態に保持する開口縁支持部４を設けると共に下部に接地部６を設け、この袋保持体Ａには前記収納部２に保持した前記袋体１に詰入体ｓを注入して大きくなったこの袋体１を保持する前記周壁部３の一部若しくは全部が前記接地部６に対してこの袋体１と離反する退避方向に可動自在な可動部５を設けると共にこの可動部５は、前記接地部６に枢着してこの接地部６との枢着箇所を支点に接地面ａに対して外側へ退避回動自在に立設した構成として、前記収納部２の上部開口部２ａから前記袋体１を引き上げて取り出す際にこの袋体１の上動によるこの袋体１と前記可動部５との当接押圧によって、この可動部５が前記接地部６との枢着箇所を支点に前記収納部２から離反する外側方向に退避回動するように構成することで、この袋体１を引き上げる際に前記周壁部３と袋体１との接触により前記袋保持体Ａが追従して一緒に引き上がらずに前記可動部５の前記袋体１と離反する退避可動によってこの袋保持体Ａの収納部２から前記袋体１を引き上げて取り出せるように構成したことを特徴とする袋保持装置に係るものである。
【００１５】
また、前記可動部５は、前記袋体１の上動によるこの袋体１と前記可動部５との当接押圧によって、この可動部５が前記接地部６との枢着箇所を支点に前記収納部２から離反する外側方向に退避回動した後、この袋体１の引き上げ取り出しによってこの袋体１と可動部５との当接押圧が解除されることによって、この可動部５が前記収納部２に近接する内側方向に戻り復帰回動するように構成したことを特徴とする請求項１記載の袋保持装置に係るものである。
【００１６】
また、前記可動部５は、前記袋体１とこの可動部５との当接押圧が解除されることによって、この可動部５の自重により前記収納部２に近接する内側方向に戻り復帰回動するようにこの可動部５の重心位置を設定したことを特徴とする請求項２記載の袋保持装置に係るものである。
【００１７】
また、前記袋保持体Ａの収納部２が下方程幅広な形状となるように、この収納部２を構成する前記周壁部３の収納部２側内面の形状を設定したことを特徴とする請求項１〜３のいずれか１項に記載の袋保持装置に係るものである。
【００１８】
また、前記袋保持体Ａの周壁部３の上縁部を平面視略環状に構成し、前記保持部２に配設した前記袋体１の開口縁１ａを外側に折り返してこの袋体１の開口縁１ａをこの周壁部３の上縁部に折り返し係止し得るように構成して、この周壁部３の上縁部をこの袋体１の開口縁１ａを支持して開口状態に保持するための前記開口縁支持部４として構成したことを特徴とする請求項１〜４のいずれか１項に記載の袋保持装置に係るものである。
【発明の効果】
【００１９】
本発明は上述のように構成したから、袋保持体の周壁部の上部に袋体の開口部を支持させてこの袋保持体の収納部に袋体を開口状態に保持でき、例えば、作業者が直接手で袋体を保持したりする必要がなく、それだけ手間と人手を削減でき作業性良くしかも安全に袋体に詰入体を注入する作業を行える。
【００２０】
しかも、詰入体を注入し終えた袋体を、この収納部の上部開口部から単に引き上げることで極めて簡単且つスムーズにこの収納部から取り出すことができる。
【００２１】
従って、これまでは詰入体を注入して大きくなった袋体を袋保持体の収納部の上部開口部から持ち上げて取り出して所定の位置に適宜移動させるといったことができず、例えば、先ず袋保持体をクレーンで持ち上げて袋体から取り外し、次いでクレーンを袋保持体から袋体に繋ぎ代えてこの袋体を適宜移動・運搬するといった面倒な作業を行っていたところを、本発明においては、詰入体の注入をし終えた袋体を単純に袋保持体の収納部から引き上げるだけで取り出しでき、適宜移動・運搬することができる。
【００２２】
よって、本発明は、例えば、この袋保持体に土嚢用の袋体を保持して土砂などを注入し、注入し終えたらこの袋体を引き上げて適宜な位置に移動させてこの袋保持体に他の袋体を保持するといった作業を繰り返すことで大量の土嚢を極めて効率良く次々と作製するといったことができる秀れた作業性と生産性を有するなど、例えばこの種の土嚢を製作するための袋保持装置としての極めて高い実用価値を有する画期的で極めて実用性に秀れた袋保持装置となる。
【００２３】
また、本発明においては、袋保持体の周壁部の一部若しくは全部を可動部に構成し、この可動部は接地部に枢着してこの接地部との枢着箇所を支点に接地面に対して外側へ退避回動自在に立設した構成とすることで、この可動部を収納部、即ち収納部に保持した袋体に対して離反する方向に退避回動させることができる。しかも、例えば、収納部から袋体を引き上げる際、上動する袋体とこの可動部との当接押圧によってこの可動部が収納部から離反する外側方向に退避回動するように構成したから、上動する袋体に連動して可動部を作動させる複雑な作動機構などを必要とせずに極めて簡易な構成でありながら本発明の秀れた機能を確実に発揮し得る一層実用性に秀れた袋保持装置となる。
【００２４】
また、請求項２，３記載の発明においては、収納部から袋体を引き上げる際にこの袋体から前記可動部が退避回動するだけでなく、袋体の引き上げが終わるとこの可動部が自動的に元の位置に戻り復帰回動するから、引き続き、収納部に他の袋体を保持して詰入体の注入作業を行うことができ、よって、例えば大量の袋体に次々と一層作業能率良く詰入体の注入作業を行うことができ、一層実用性に秀れた袋保持体となる。
【００２５】
また、請求項４記載の発明においては、袋保持体の収納部に、詰入体を注入された袋体が膨らんで大きくなれるスペースが確保されるのでこの収納部に保持した袋体に詰入体を良好に注入できることとなる。
【００２６】
また、例えば上記のようにこの周壁部の一部若しくは全部を可動部とし、この可動部が袋体との当接押圧により退避回動するように構成しておけば、下方程幅広となるように収納部を設定したことに起因して袋体が取り出しにくくなってしまうといった問題も生ぜず、更に例えばこの可動部の重心位置がこの可動部と接地部との枢着箇所よりも必然的に収納部内方寄りとなるため、この可動部が自重により戻り復帰回動する上記の構成を一層簡易に実現し得るなど、一層実用性に秀れた袋保持装置となる。
【００２７】
また、請求項５記載の発明においては、袋保持体の収納部に配設した袋体の開口縁を、この袋保持体の周壁部の上部に折り返し係止することでこの袋体の開口縁を開口状態に保持してこの袋体を収納部に開口状態に保持する簡易な開口縁支持部の構成を採用したので、一層簡易設計実現可能で実用性に秀れた袋保持装置となる。
【発明を実施するための最良の形態】
【００２８】
好適と考える本発明の実施形態（発明をどのように実施するか）を、図面に基づいて本発明の作用を示して簡単に説明する。
【００２９】
袋保持体Ａの周壁部３に囲われる収納部２に土嚢用の袋体１を配設し、この袋体１の開口縁１ａを前記周壁部３の上部に設けた開口縁支持部４に支持してこの袋体１を収納部２に開口状態に保持する。
【００３０】
このように袋保持体Ａによって袋体１を開口状態に保持し、この開口状態の袋体１に、例えば土砂や水や粒体などの様々な詰入体ｓを注入する作業が行える。
【００３１】
即ち、袋体１を例えば作業者が直接手で保持する必要がなく、それだけ手間と人手を削減でき作業性良くしかも安全に袋体１に詰入体ｓを注入する作業が行えることとなる。
【００３２】
また、詰入体ｓを注入し終えた袋体１は、袋保持体Ａの収納部２の上部開口部２ａから引き上げて取り出す。
【００３３】
この際、袋体１は詰入体ｓを注入して大きくなっているために、この袋体１と、収納部２を構成する周壁部３との接触（圧接）により収納部２から袋体１を取り出せなかったり、袋体１の引き上げに追従して袋保持体Ａ自体も一緒に引き上がってしまう懸念があるが、本発明においては、この詰入体ｓを注入して大きくなった袋体１を袋保持体Ａの収納部２の上部開口部２ａから引き上げると、この袋体１の上動によるこの袋体１と前記可動部５との当接押圧によって、この可動部５が前記接地部６との枢着箇所を支点に前記収納部２から離反する外側方向に退避回動することになる。即ち、上動する袋体１と一緒に前記袋保持体Ａが引き上がらずに、前記可動部５の前記袋体１と離反する退避可動によってこの袋保持体Ａの収納部２から前記袋体１を引き上げて取り出すことができる。
【００３４】
従って、前記袋体１を引き上げる際に懸念される前記周壁部３と袋体１との接触による袋体１の取り出しにくさや袋保持体Ａが袋体１の引き上げに追従して一緒に持ち上がってしまう問題が生ぜず、可動部５の前記袋体１からの離反によってこの袋保持体Ａの収納部２からの前記袋体１の引き上げ取り出しを簡単にしかもスムーズに達成できることとなる。
【００３５】
即ち、これまでは詰入体ｓを注入して大きくなった袋体１を袋保持体Ａの収納部２の上部開口部２ａから持ち上げて取り出して所定の位置に適宜移動させるといったことができず、例えば、図１０に図示したように、先ず袋保持体Ａ自体を持ち上げて袋体１から取り外し、次いで袋体１の移動を行う面倒な作業を行っていたところを、本発明においては、単純に袋体１を収納部２の上部開口部２ａから引き上げる操作によってこの袋体１をこの収納部２から簡単且つスムーズに取り出すことができる。
【００３６】
従って、例えば、土嚢用の袋体１を袋保持体Ａに開口状態に保持し、この袋体１に土嚢用の土砂などの詰入体ｓを注入し、注入し終えた袋体１はこの袋保持体Ａの収納部２から簡単に取り出して所定箇所に適宜運搬し、新しい袋体１を袋保持体Ａに保持して引き続き詰入体ｓの注入作業を行うことで、大量の土嚢を極めて簡単しかもスピーディーに作製するといったことが可能である。
【００３７】
また、前記袋保持体Ａの周壁部３の一部若しくは全部を前記可動部５として構成し、この可動部５は、接地部６に枢着してこの接地部６との枢着箇所を支点に接地面ａに対して外側へ退避回動自在に立設した構成としたから、この可動部５を前記接地部６との枢着箇所を支点に収納部２から離反する方向に回動させることで、この収納部２に保持された袋体１からこの可動部５を退避可動させることができる。即ち、袋体１を収納部２の上部開口部２ａから引き上げて取り出す際にこの可動部５をこの袋体１から退避可動させ得る構成を簡易な構成で確実に達成できることとなる。
【００３８】
特に、この可動部５は、前記収納部２の上部開口部２ａから前記袋体１を引き上げて取り出す際に、この袋体１の上動によるこの袋体１と前記可動部５との当接押圧によって、この可動部５が前記接地部６との枢着箇所を支点に前記収納部２から離反する外側方向に退避回動するように構成したから、例えば前記袋体１の上動に連動してこの可動部５を作動して退避可動（退避回動）させるために特別な連動装置を設けるといった必要がなく、単に袋体１とこの可動部５との当接押圧によりこの可動部５が自然に必要な回動量だけ退避回動することとなり、簡易構成でありながら本発明の機能を確実に発揮し得る秀れた構成となる。
【００３９】
更に、例えば、前記可動部５は、前記袋体１の上動によるこの袋体１と前記可動部５との当接押圧によって、この可動部５が前記接地部６との枢着箇所を支点に前記収納部２から離反する方向に退避回動した後、この袋体１と可動部５との当接押圧が解除されることによって、この可動部５が前記収納部２に近接する方向に戻り復帰回動するように構成すれば、袋体１を収納部２の上部開口部２ａから引き上げて取り出した後、この袋体１に対して退避可動（退避回動）した可動部５を例えば手動で元の位置（即ち、袋体１を開口状態に保持できる初期位置）に戻す作業を行わずとも可動部５を元の位置に復帰回動させることができる。しかも、例えば、可動部５が自重により自動的に元の位置に戻り復帰回動するように重心位置を設定するなどにより簡易に実現できる。
【００４０】
従って、例えばこの袋保持体Ａを使用して大量の袋体１を次々と取り代えて大量の袋体１に次々と詰入体ｓを注入させていく作業を極めて効率的に行えることとなる。
【００４１】
また、例えば、前記袋保持体Ａの収納部２が下方程幅広な形状となるように、この収納部２を構成する前記周壁部３の収納部２側内面の形状を設定した場合には、この収納部２に保持された袋体１が、この収納部２内で前記詰入体ｓにより十分に膨らんで大きくなれるスペースが確保されるために袋体１に詰入体ｓを良好に注入できることとなる。また、この収納部２から袋体１を引き上げて取り出す際、収納部２が下方程幅広となるように設定した周壁部３は、引き上げられる袋体１と一層接触し易くなってしまうが、例えば上記のようにこの周壁部３の一部若しくは全部を可動部５とし、この可動部５が袋体１との当接押圧により退避回動するように構成しておけば、下方程幅広となるように収納部２を設定したことに起因して袋体１が取り出しにくくなってしまうといった問題も生ぜず、更に例えばこの可動部５の重心位置がこの可動部５と接地部６との枢着箇所よりも必然的に収納部２内方寄りとなるため、この可動部５が自重により戻り復帰回動する上記の構成をも、一層簡易に実現できることとなる。
【００４２】
また、前記袋保持体Ａの周壁部３の上縁部を平面視略環状に構成し、前記保持部２に配設した前記袋体Ａの開口縁１ａを外側に折り返してこの袋体Ａの開口縁１ａをこの周壁部３の上縁部に折り返し係止し得るように構成して、この周壁部３の上縁部をこの袋体Ａの開口縁１ａを支持して開口状態に保持するための前記開口縁支持部４として構成した場合には、袋体１の開口縁１ａを単に折り返し係止するシンプルな構成で、一層簡易設計実現可能となる。
【実施例】
【００４３】
本発明の具体的な実施例について図面に基づいて説明する。
【００４４】
本実施例は、袋体１を開口状態に保持してこの袋体１に土砂や水や粒体などの詰入体ｓを注入する袋保持装置である。
【００４５】
また、本実施例は、土嚢用の麻製の袋体１を開口状態に保持し、この袋体１に前記詰入体ｓとして土嚢用の土砂を注入して土嚢を作製する場合に使用する袋保持装置である。尚、例えば水嚢用の袋体１を開口状態に保持して水を注入して水嚢を製作する場合に使用する袋保持装置として構成するなど、本実施例以外の用途に使用する構成としても良い。
【００４６】
本実施例の袋保持装置は、前記袋体１を収納部２に保持する袋保持体Ａから成り、この袋保持体Ａは、前記収納部２を形成する周壁部３の上部に前記袋体１の開口縁１ａを支持して開口状態に保持する開口縁支持部４を設けている。
【００４７】
袋保持体Ａは、金属製杆体で環状（略正方形状）に形成した接地部６に、金属製杆体で構成した周壁部３を立設してこの周壁部３に囲まれる前記収納部２を形成した構成である。
【００４８】
また、この袋保持体Ａには前記収納部２に保持した前記袋体１に詰入体ｓを注入して大きくなったこの袋体１を保持する前記周壁部３の一部若しくは全部をこの袋体１と離反する退避方向に可動させる可動部５を設けている。尚、本実施例においては、周壁部３自体を、即ち周壁部３全体を可動部５として構成する。
【００４９】
具体的には、図１に図示したように、周壁部３は、金属製杆体で半筒状に構成した柵状の左右一対の可動部５から成る囲い柵状に構成している。
【００５０】
また、収納部２の形状が下方程幅広となるようにこの収納部２を構成する前記周壁部３、即ち左右一対の可動部５の収納部２側内面の形状を設定している。
【００５１】
具体的には、この周壁部３が下方程幅広な略錐台形状（テーパ形状）となるように前記可動部５の形状を設定している。
【００５２】
従って、この収納部２に保持した袋体１に土砂（詰入体ｓ）を注入した際にこの袋体１の下部側が膨らんで大きくなるためのスペースが収納部２に十分に確保され、袋体１に良好に土砂を注入できる。
【００５３】
この半筒状の柵状に構成した一対の可動部５は夫々、下端部を接地部６に枢着してこの接地部６との枢着箇所を支点に接地面ａに対して回動自在に立設した構成である。
【００５４】
具体的には、図１及び図３に図示したように、接地部６の所定箇所に嵌挿固定した枢着連結部材７に、可動部５の下端部を回動自在に軸着し、この枢着連結部材７を介して一対の可動部５を夫々接地部６に回動自在に枢着連結した構成である。尚、この一対の可動部５の下端部はコ字状に構成され、互いのコ字開口側を対向状態にして左右一対に設けられ、更に図１に図示したように、このコ字状の下端部のコ字開口側と反対のコ字基端側を前記枢着連結部材７に軸着した構成としている。尚、この可動部５と接地部６との枢着構造は、本実施例に限られるものではなく、どのような枢着構造を採用しても良い。
【００５５】
この左右一対の可動部５は、前記収納部２の上部開口部２ａから前記袋体１を引き上げて取り出す際にこの袋体１の上動により作動して退避可動する。具体的には、図３に図示したように、袋保持体Ａの収納部２の上部開口部２ａから袋体１を持ち上げる際に、この
上動する袋体１との各可動部５との当接押圧により、各可動部５が前記接地部６との枢着箇所を支点に前記収納部２から離反する方向に退避回動するように構成している。
【００５６】
また、この左右一対の可動部５は、袋体１と各可動部５との当接押圧により前記収納部２から離反する方向に退避回動した後、この袋体１と各可動部５との当接押圧が解除されることによって、図４に図示したように、各可動部５が前記収納部２に近接する方向に戻り復帰回動するように構成している。具体的には、各可動部５が自重によって前記戻り復帰回動するようにこの各可動部５の重心位置を設定する。尚、本実施例では、図１に図示したように、各可動部５を半筒状に構成して、この可動部５のコ字状の下端部のコ字開口側と反対のコ字基端側を前記枢着連結部材７を介して接地部６に軸着した構成のため、この可動部５の前記接地部６との枢着箇所に比してこの可動部５の重心が必然的に収納部２内方側に位置し、よって、各可動部５は自重により良好に上述の戻り復帰回動を行う構成である。
【００５７】
また、この左右一対の可動部５は、収納部２の周囲を取り囲むように立設した状態、即ち図１に図示したようにこの左右一対の可動部５により囲い柵状の前記周壁部３を成す立設状態を初期位置とし、この各可動部５が上述の戻り復帰回動によって収納部２に近接する方向に回動する際、この初期位置で各可動部５の戻り復帰回動が停止するように、この初期位置において各可動部５の下端部が前記接地部６に載置当接するように構成している。
【００５８】
尚、この一対の可動部５を回動する際に、作業者がこの一対の可動部５間に手などを挟むことがないように、この左右一対の可動部５を閉じ回動、即ち図１に図示したように、初期位置に合わせた際にもこの一対の可動部５同志は接触せず、この一対の可動部５間に間隙が生ずるように設定している。
【００５９】
また、この袋保持体Ａの周壁部３の上縁部は平面視略環状に構成している。具体的には、左右一対の可動部５の上縁部は平面視略半円状に形成し、この左右一対の可動部５を閉じ回動して図１及び図５に図示したように初期位置に合わせた際、この左右一対の可動部５の上縁部により平面視略環状（円環状）の前記周壁部３の上縁部が形成されるように構成している。
【００６０】
図２に図示したように、前記保持部２に配設した前記袋体１の開口縁１ａを外側に折り返してこの袋体１の開口縁１ａをこの周壁部３の上縁部に折り返し係止することで、この周壁部３の上縁部をこの袋体１の開口縁１ａを支持して開口状態に保持するための前記開口縁支持部４として構成している。尚、この周壁部３の上縁部の前記袋体１の上縁部１ａを折り返し係止する部位は、スリップし難い部材で構成、若しくはスリップし難い部材を設ける構成とする。
【００６１】
この周壁部３の上縁部に袋体１の開口縁１ａを支持する開口縁支持部４の構成は本実施例に限られるものではなく、他にも、本実施例と同様の機能を発揮し得る開口縁支持部４であれば良い。例えば、袋体１の開口縁１ａを周壁部３の上縁部に折り返し係止した後、図６及び図７に図示したように、この外側に折り返した袋体１の開口縁１ａとこの袋体１とを止着ピン８で止着固定する構成とした場合には、この袋体１を抜け止め状態に一層強固に周壁部３の上部に支持できる。また、この場合は、図６に図示したように、止着ピン８をチェーン９を介して袋保持体Ａの所定箇所に吊り下げ配設した構成としておけば、この止着ピン８を使用したい時に直ちにこの袋保持体Ａに吊り下げられている止着ピン８を使用して前記袋体１の上縁部１ａの止着固定が行える。
【００６２】
尚、本実施例においては、この袋保持体Ａの周壁部３の上縁部の形状を、図５に図示したように、略楕円状に形成している。
【００６３】
従って、この袋保持体Ａの周壁部３の略楕円状の上縁部に開口縁１ａを支持した前記袋体１の開口形状も楕円形状とすることができ、この袋体１に土砂を注入する際の袋体１の開口形状を横広とすることができるので、例えば図２のように、ショベルカーのショベルに大きな注ぎ手段によって土砂を注ぐ場合にも略楕円形状の開口形状であるが故に、非常に注入し易い。
【００６４】
本実施例は、上述のように構成したから、袋保持体Ａの収納部２に土嚢用の袋体１を配設し、この袋体１の上部開口縁１ａをこの収納部２を構成する周壁部３の上部に折り返し係止してこの袋体１を袋保持体Ａに上部開口状態に保持（セット）して、図２に図示したように、ショベルカーでこの袋体１に土嚢用の土砂（詰入体ｓ）を注入する作業を行うことができる。
【００６５】
また、土砂を注入し終えた袋体１は、開口縁１ａを紐などで締結し、図３に図示したように、クレーンにより収納部２の上部開口部２ａから上方に引き上げて取り出す。
【００６６】
この際、袋体１の上動により前記袋保持体Ａの周壁部３、即ち左右一対の可動部５が、前記袋体１との当接押圧によって自動的に退避回動することとなるので、この袋体１と周壁部３とが接触して引っ掛かったりし、それによってこの袋体１の引き上げに袋保持体Ａが追従して持ち上がってしまったりする問題が生じ得ず、前記可動部５の前記袋体１からの離反によってこの袋保持体Ａの収納部２から前記袋体１を極めてスムーズに引っ掛かりなく引き上げて取り出せる。
【００６７】
このように袋体１が引き上げて取り出された収納部２は、可動部５が戻り復帰回動することにより、直ちに次の袋体１をセット（開口状態に保持）できる状態となる。
【００６８】
よって、本発明は、この袋保持体Ａに袋体１を保持して土砂を注入し、注入し終えた袋体（土嚢）はこの袋保持体Ａから単純に引き上げるだけでスムーズに取り外しでき所定箇所に適宜移動・運搬させることができ、引き続き新しい袋体１をこの袋保持体Ａにセットすることで次々と土嚢を作製でき、これまでにない高い作業性と秀れた生産性を有し、この種の土嚢作製用の袋保持装置としての極めて高い実用価値を有する画期的な袋保持装置となる。
【００６９】
また、本実施例は、接地部６が例えば単なる脚体などではなく環状の構成とし、接地面ａとそれだけ広い範囲で接地当接するので接地安定性に秀れ、接地面ａの状態が良く無くとも、それだけ接地安定性良く接地でき良好に作業を進展できる。
【００７０】
また、本実施例は、図１に図示したように、金属製杆体からなる柵枠状（フレーム状）の構成である為、軽量にして持ち運びが容易な構成とすることも簡易に達成でき、また、複雑な構成などが不要な簡易構成故に、量産化も容易である。
【００７１】
尚、本実施例は、複数の袋保持体Ａを互いの可動部５が当接しない方向に並設状態に連設した構成としても良く、この場合には、一層効率的に生産性良く大量の土嚢を作製できることとなる。
【００７２】
また、本発明は、本実施例に限られるものではなく、各構成要件の具体的構成は適宜設計し得るものである。
【図面の簡単な説明】
【００７３】
【図１】本実施例に係る袋保持装置の説明斜視図である。
【図２】本実施例に係る袋保持装置の使用状態を示す説明図である。
【図３】本実施例に係る袋保持装置の使用状態を示す説明図である。
【図４】本実施例に係る袋保持装置の使用状態を示す説明図である。
【図５】本実施例に係る袋保持装置の説明平面図である。
【図６】本実施例に係る袋保持装置の別例を示す説明図である。
【図７】本実施例に係る袋保持装置の別例を示す説明図である。
【図８】従来例を示す説明図である。
【図９】従来例を示す説明図である。
【図１０】従来例を示す説明図である。
【符号の説明】
【００７４】
１  袋体
１ａ 開口縁
２  収納部
２ａ  上部開口部
３  周壁部
４  開口縁支持部
５  可動部
６  接地部
Ａ  袋保持体
ａ  接地面
ｓ  詰入体
【図１】
0004668799.tif 000002
【図２】
0004668799.tif 000003
【図３】
0004668799.tif 000004
【図４】
0004668799.tif 000005
【図５】
0004668799.tif 000006
【図６】
0004668799.tif 000007
【図７】
0004668799.tif 000008
【図８】
0004668799.tif 000009
【図９】
0004668799.tif 000010
【図１０】
0004668799.tif 000011